(57)【要約】【課題】軽量化及び小型化の平面表示器用または液晶表示パネル用面状光源構造を提供する。【解決手段】平面表示器用面状光源構造は光ガイド板と光源とからなる。光ガイド板の材質はプラスチックである。光ガイド板をバック光源として使用する場合、光ガイド板自体は液晶表示パネルの下基板となる。一方、光ガイド板を前方光源として使用する場合、光ガイド板自体は液晶表示パネルの上基板となる。【選択図】      図５
2004212517.tif 000002
【特許請求の範囲】
【請求項１】
第一の光源と、射出面を有し前記第一の光源からの光線を内部にガイドし且つ該射出面から均一的に射出させる第一の光ガイド板とからなり、前記第一の光ガイド板は平面表示器の基板として使用されることを特徴とする平面表示器用面状光源構造。
【請求項２】
前記第一の光ガイド板の材料は透明プラスチックであることを特徴とする請求項１に記載の平面表示器用面状光源構造。
【請求項３】
更に、前記第一の光源と前記第一の光ガイド板の間にある偏向板を有することを特徴とする請求項１に記載の平面表示器用面状光源構造。
【請求項４】
前記平面表示器は第一の液晶表示器となることを特徴とする請求項３に記載の平面表示器用面状光源構造。
【請求項５】
前記第一の光ガイド板を前記第一の液晶表示器のバック光源とする場合、前記第一の光ガイド板は前記第一の液晶表示器の下基板となることを特徴とする請求項４に記載の平面表示器用面状光源構造。
【請求項６】
前記第一の光源が前記第一の光ガイド板の端面にあることを特徴とする請求項５に記載の平面表示器用面状光源構造。
【請求項７】
更に、前記第一の光ガイド板の他の端面にある第二の光源を有することを特徴とする請求項６に記載の平面表示器用面状光源構造。
【請求項８】
前記第一の光源は面状光源であることを特徴とする請求項５に記載の平面表示器用面状光源構造。
【請求項９】
前記第一の光ガイド板が前記第一の光源の上にあることを特徴とする請求項８に記載の平面表示器用面状光源構造。
【請求項１０】
更に、前記第一の光ガイド板を下基板とする第二の液晶表示器を有し、且つ、前記第一の光ガイド板に関して前記第二の液晶表示パネルと前記第一の液晶表示パネルが互いに対向するように双対表示平面表示器を構成することを特徴とする請求項６に記載の平面表示器用面状光源構造。
【請求項１１】
更に、前記第一の光ガイド板の他の端面にある第二の光源を有することを特徴とする請求項１０に記載の平面表示器用面状光源構造。
【請求項１２】
更に、前記第二の液晶表示パネルの前方光源となる第二の光ガイド板と、前記第二の光ガイド板の端面にある第二の光源とを有することを特徴とする請求項１０に記載の平面表示器用面状光源構造。
【請求項１３】
更に、前記第一の光ガイド板と前記偏向板の間にある位相差板を有することを特徴とする請求項５に記載の平面表示器用面状光源構造。
【請求項１４】
前記第一の光ガイド板を前記液晶表示器の前方光源とする場合、前記第一の光ガイド板は前記液晶表示器の上基板となることを特徴とする請求項１３に記載の平面表示器用面状光源構造。
【請求項１５】
前記第一の光ガイド板は、平板と、該平板上にある紫外線硬化樹脂のＶ形切断面とからなることを特徴とする請求項１４に記載の平面表示器用面状光源構造。
【請求項１６】
前記第一の光源が前記第一の光ガイド板の端面にあることを特徴とする請求項１４に記載の平面表示器用面状光源構造。
【請求項１７】
更に、前記第一の光ガイド板の他の端面にある第二の光源を有することを特徴とする請求項１６に記載の平面表示器用面状光源構造。
【請求項１８】
更に、前記第一の液晶表示器の下基板を下基板とする第二の液晶表示器と、前記第二の液晶表示器の前方光源となる第二の光ガイド板と、前記第二の光ガイド板の端面にある第二の光源とを有し、
且つ、前記下記基板に関して前記第二の液晶表示器と前記第一の液晶表示器が互いに対向するように双対表示平面表示器を構成することを特徴とする請求項１４に記載の平面表示器用面状光源構造。
【請求項１９】
更に、前記第一の光ガイド板の上にあるタッチパネルを有することを特徴とする請求項１８に記載の平面表示器用面状光源構造。
【請求項２０】
第一の光源と、射出面を有し前記第一の光源からの光線を内部にガイドし且つ該射出面から均一的に射出させる第一のガイド板とからなり、前記第一の光源が前記第一の光ガイド板の端面にあり、前記第一の光ガイド板は液晶表示パネルの下基板として使用されることを特徴とする液晶表示パネル用面状光源構造。
【請求項２１】
前記第一の光ガイド板の材料は透明プラスチックであることを特徴とする請求項２０に記載の液晶表示パネル用面状光源構造。
【請求項２２】
更に、前記第一の光源と前記第一の光ガイド板の間にある偏向板を有することを特徴とする請求項２０に記載の液晶表示パネル用面状光源構造。
【請求項２３】
更に、前記第一の光ガイド板の他の端面にある第二の光源と、前記第二の光源と前記第一の光ガイド板の間にある第二の偏向板とを有することを特徴とする請求項２２に記載の液晶表示パネル用面状光源構造。
【請求項２４】
第一の光源と、射出面を有し前記第一の光源からの光線を内部にガイドし且つ該射出面から均一的に射出させる第一の光ガイド板とからなり、前記第一の光源が前記第一の光ガイド板の端面にあり、前記第一の光ガイド板は液晶表示パネルの上基板として使用されることを特徴とする液晶表示パネル用面状光源構造。
【請求項２５】
前記第一の光ガイド板の材料は透明プラスチックであることを特徴とする請求項２４に記載の液晶表示パネル用面状光源構造。
【請求項２６】
更に、前記第一の光源と前記第一の光ガイド板の間にある偏向板を有することを特徴とする請求項２４に記載の液晶表示パネル用面状光源構造。
【請求項２７】
更に、前記偏向板と前記第一の光ガイド板の間にある位相差板を有することを特徴とする請求項２６に記載の液晶表示パネル用面状光源構造。
【請求項２８】
前記第一の光ガイド板は、平板と、該平板上にある紫外線硬化樹脂のＶ形切断面とからなることを特徴とする請求項２４に記載の液晶表示パネル用面状光源構造。
【請求項２９】
更に、前記第一の光ガイド板の他の端面にある第二の光源を有することを特徴とする請求項２４に記載の液晶表示パネル用面状光源構造。
【発明の詳細な説明】
【０００１】
【発明の属する技術分野】
本発明は面状光源構造に関わり、特に、平面表示器（ｄｉｓｐｌａｙ）に用いられる面状光源構造に関する。
【０００２】
【従来の技術】
面状光源は普段液晶表示器に用いられる。液晶表示パネルの後ろから照射する面光源はバック光源、液晶表示パネルの前方から照射する面光源は前方光源と称する。バック光源を用いる液晶表示器は透過型、前方光源を用いる液晶表示器は反射型である。液晶表示器は、透過型か反射型にかかわらず、高明度かつ安定な光源を必要とする。
【０００３】
図１は従来の透過型液晶表示器の例を示す図である。図１において、液晶表示器１００は、平板型光ガイド板（Ｌｉｇｈｔ  Ｇｕｉｄｅ  Ｐａｎｅｌ）１０２を有する。該光ガイド板１０２は夫々その両端面にある両光源１０４−１と１０４−２からの光線を転向させ射出面にガイドするためのものである。
【０００４】
図１において、光ガイド板１０２の底部に複数の突起がある。これは格子方式により光線を上へ反射するためのものである。なお、その他の方式としてはＶ形切断面（Ｖ−ｃｕｔ）により光線を上へ反射するものもある。
【０００５】
光ガイド板１０２の射出面に対向するように反射面１０６が設けられる。該反射面１０６により、下へ屈折された光線の全てが光ガイド板１０２の射出面に反射される。
【０００６】
また、光ガイド板１０２の上方に順に偏光板１０８と下基板１１０がある。従来、下基板１１０は透明ガラス板であり、フィルムトランジスター１１２は直接下基板１１０に形成される。そして、下基板１１０の上に順に保護層１１４と透明電極１１６を形成することにより、液晶表示パネルの下板が形成される。
【０００７】
一方、その他の透明ガラス板即ち液晶表示パネルの上基板１２４に順に色フィルタ１２２及び透明電極１２０を形成することにより、液晶表示パネルの上板が形成される。
【０００８】
それで、上板の透明電極１２０と下板の透明電極１１６を対向させるように密封し且つ真空状態にした上、液晶１１８を上下板間に注入する。これにより、液晶表示パネルが形成される。
最後、上基板１２４の上方に偏光板１２６を取り付けることにより透過型液晶表示器１００が形成される。透過型液晶表示器は普段テレビジョンや計算機のディスプレー、特にサイズの大きい表示器に用いられる。
【０００９】
図１の光ガイド板１０２は平板状であるが、光ガイド板は図２に示すようなくさび形光ガイド板１０３であっても良い。くさび形光ガイド板１０３に適する光反射方式は、Ｖ形切断面により光線をほぼ垂直に上方の射出面にガイドする方式しかない。このようなくさび形光ガイド板１０３には、必要な光源１０４が一つだけであるというメリットがある。
【００１０】
図３は富士通株式会社による中空状光ガイド板技術を示す図である。ここで、複数の光源２０２からの光線はレンズ２０４を透過して中間の反射領域に入る。反射領域には、光線を適当に射出面にガイドする４枚の調節板２０６がある。調節板２０６の下に、下方へ反射または屈折される光線を射出面にガイドする反射板２０８がある。最終、光線はレンズ組合せ２１０を通じて液晶表示パネルに均一的照射する。このような面状光源構造は非常に複雑であるため、製造コスト及び歩留まりの視点から、該当面状光源構造を利用するケースが少ない。
【００１１】
図４は従来の反射型液晶表示器の例を示す図である。図４において、光ガイド板１０２は液晶表示パネルの上方にある。下基板１１０にフィルムトランジスター１１２を直接形成した上、下基板１１０の上に順に保護層１１４と反射フィルム１１５を形成することにより、液晶表示パネルの下板が形成される。
【００１２】
一方、その他の透明ガラス板即ち液晶表示パネルの上基板１２４に順に色フィルタ１２２及び透明電極１２０を形成することにより、液晶表示パネルの上板が形成される。
【００１３】
それで、上板の透明電極１２０と下板の反射フィルム１１５を対向させるように密封し且つ真空状態にした上、液晶１１８を上下板間に注入する。これにより、液晶表示パネルが形成される。
【００１４】
また、上基板１２４の上方に順に位相差板１２７、偏光板１２６及び光ガイド板１０２があり。光ガイド板１０２の端面に光源１０４がある。ここで、位相差板１２７の主な役割は入射光の位相を遅延させることにある。その遅延量は普段１／４波長分である。よって、位相差板を遅延板や１／４波長板と称する場合もある。
【００１５】
反射型液晶表示器の光源は、液晶表示パネルの前方にあるため、前方光源と称することもある。光源１０４からの光線は光ガイド板１０２により下へ反射されてから反射フィルム１１５により上へ（利用者まで）反射される。反射型液晶表示器は、普段、時計や携帯電話機の表示パネル、特にサイズの小さい表示器に用いられる。
【００１６】
日常の平面表示器は益々小型化及び軽量化となりつつあるが、前記した従来の平面表示器の小型化は難しくなり、特に面状光源を双対表示装置に適用する場合、尚更難しい。また、光線が液晶表示パネルにおいて多くの光媒体を経由するため、光エネルギーが大幅に低減される。したがって、光源からの光線が利用者の目に着くときの明度はかなり減衰される。よって、表示器の軽量薄型化を達成するために、従来と異なる方法を用いるほかならない。
【００１７】
【発明が解決しようとする課題】
前記のような問題点を解決するため、本発明の目的は、プラスッチク材質の光ガイド板を平面表示器の基板とし且つ光ガイド板を透過型液晶表示器の下基板または反射型液晶表示器の上基板として使用することが可能な平面表示器用または液晶表示パネル用面状光源構造を提供することにある。
【００１８】
また、本発明の他の目的は、プラスチック基板使用により表示器組合せ全体の重量が軽減し軽量化を達成することができる平面表示器用または液晶表示パネル用面状光源構造を提供することにある。
【００１９】
また、本発明の他の目的は、光ガイド板を平面表示器の基板として使用することにより従来の平面表示器のガラス使用量を減少し、表示器組合わせ全体の体積が縮小し、軽量薄化を達成すると共に表示パネルと光ガイド板との一体化をも達成することができる平面表示器用または液晶表示パネル用面状光源構造を提供することにある。
【００２０】
更に、本発明の他の目的は、双対表示器組合せに適用する際該当表示器組合せの体積及び重量が大幅に低減することができる双対光源の面状光源構造を提供することにある。
【００２１】
【課題を解決するための手段】
前記目的を達成するための本発明の平面表示器用面状光源構造は、第一の光源と、射出面を有し前記第一の光源からの光線を内部にガイドし且つ該射出面から均一的に射出させる第一の光ガイド板とからなり、前記第一の光ガイド板は平面表示器の基板として使用されるように構成される。
また、前記平面表示器用面状光源構造において、前記第一の光ガイド板の材料は透明プラスチックであって良い。
また、前記平面表示器用面状光源構造は、更に、前記第一の光源と前記第一の光ガイド板の間にある偏向板を有して良い。
また、前記平面表示器は第一の液晶表示器として用いられる。
また、前記第一の光ガイド板を前記第一の液晶表示器のバック光源とする場合、前記第一の光ガイド板は前記第一の液晶表示器の下基板となる。
また、前記第一の光源が前記第一の光ガイド板の端面にある場合、面状光源構造は前記第一の光ガイド板の他の端面にある第二の光源を有する。
また、前記第一の光源は面状光源である場合、前記第一の光ガイド板が前記第一の光源の上にある。
また、前記面状光源構造は、前記第一の光ガイド板を下基板とする第二の液晶表示器を有して良い。この場合、前記第一の光ガイド板に関して前記第二の液晶表示器と前記第一の液晶表示器が対向するように双対表示平面表示器を構成する。また、前記面状光源構造は、前記第一の光ガイド板の他の端面にある第二の光源を有しても良い。また、前記平面表示器用面状光源構造は、前記第二の液晶表示パネルの前方光源となる第二の光ガイド板と、前記第二の光ガイド板の端面にある第二の光源とを有しても良い。
また、前記面状光源構造は、前記第一の光ガイド板と前記偏向板の間にある位相差板を有して良い。前記第一の光ガイド板を前記液晶表示器の前方光源とする場合、前記第一の光ガイド板は前記液晶表示器の上基板となる。また、前記第一の光ガイド板は、平板と、該平板上にある紫外線硬化樹脂のＶ形切断面とから構成することができる。前記第一の光源が前記第一の光ガイド板の端面にある。更に、前記面状光源構造は前記第一の光ガイド板の他の端面にある第二の光源を有して良い。更に、前記面状光源構造は前記第一の液晶表示器の下基板を下基板とする第二の液晶表示器と、前記第二の液晶表示器の前方光源となる第二の光ガイド板と、前記第二の光ガイド板の端面にある第二の光源とを有し、且つ、前記下基板に関して前記第二の液晶表示器と前記第一の液晶表示器が対向するように双対表示平面表示器を構成する。更に、前記面状光源は前記第一の光ガイド板にあるタッチパネルを有して良い。
【００２２】
本発明の液晶表示パネル用面状光源構造は第一の光源と、射出面を有し前記第一の光源からの光線を内部にガイドし且つ該射出面から均一的に射出させるための第一の光ガイド板とからなり、前記第一の光源が前記第一の光ガイド板の端面にあり、前記第一の光ガイド板は液晶表示パネルの下基板または上基板として使用される。
【００２３】
なお、本発明に用いられる光源としては、冷陰極蛍光灯や複数の発光ダイオードからなる線光源、またはその他の線光源が挙げられる。これらの光源は互いに交替することができる。
【００２４】
【発明の実施の形態】
前記の目的を達成して従来の欠点を除去するための課題を実行する本発明の実施例の構成とその作用を添付図面に基づき詳細に説明する。なお、本発明はその他の色々な実施の形態によりも具現されることが可能で、かつ、本発明の範囲は実施例により限定されず、請求範囲に準ずる。
【００２５】
（実施例１）
図５は本発明の第一の実施の形態に係る平面表示器用面状光源構造を示す図である。図５において、光ガイド板１０の一端面に光源１２があり、光源１２と光ガイド板１０の間即ち光ガイド板の入射面に偏光板１４がある。
【００２６】
本実施例では、光ガイド板１０が平板状であって、格子やＶ形切断面を以って前記端面からの光線を上方へ転向させ射出面にガイドするものである。
【００２７】
また、本実施例では、光源は単一光源１２−１または双対光源１２−１，１２−２でありうる。当然、双対光源１２−１，１２−２を用いる場合、より均一性の良い面状光源が得られる。
【００２８】
また、本実施例では、光ガイド板１０が平板状であるが、これに限らず、くさび形光ガイド板を用いても良い。
【００２９】
また、偏光板１４を光ガイド板１０の入射面に貼着することと光ガイド板１０の射出面に貼着することとは、効果が同様であるが、その貼着面積がかなり異なる。本発明では、偏光板１４を光ガイド板１０の入射面に貼着することにより偏光板１４の貼着面積が大幅に減少され、且つ光線が経由する光源１２から利用者までのパスにおける媒体が少なくなる。
【００３０】
本発明では、光ガイド板１０の材質として透明プラスッチクを用い、且つ光ガイド板１０を液晶表示パネルの基板として使用する。例えば、図５に示すように、光ガイド板１０の表面に直接フィルムトランジスタ２２を形成すると、光ガイド板１０は液晶表示パネルの下基板となる。
それで、既存の液晶表示パネルの製造プロセスにより、残るその他のものを作り出す。先ず、光ガイド板１０の上に順に保護層２２及び透明電極層２６を形成することにより液晶表示パネルの下板を形成する。次に、他の透明基板である液晶表示パネルの上基板３０に色フィルタ２８及び透明電極２７を順に形成することにより、液晶表示パネルの上板を形成する。次に、上板の透明電極２６と下板の透明電極２７を対向させるように密封し且つ真空状態にした上、液晶３２を上下板間に注入する。これにより、液晶表示パネルが形成される。最後、上基板３０の上方に偏光板３４を取り付けると、透過型液晶表示器の要部が形成される。なお、本実施例では、上基板３０の材質はガラスまたはプラスチックでありうる。
【００３１】
（実施例２）
図６は本発明の第二の実施の形態を示す図である。本実施例２の構造が図５の実施例１の構造と異なるところは、光ガイド板１０の下方に面状光源１３が設けられ且つ光ガイド板１０と面状光源１３の間即ち光ガイド板１０の入射面に偏光板１５が設けられることにある。
【００３２】
本実施例では、光ガイド板１０が平板状である。また、面状光源１３に対し拡散処理を施すために光ガイド板１０の入射面に格子やＶ形切断面を形成して良い。なお、格子のパターンは実施例１のそれと同様でなくても良い。面上光源１３は複数の冷陰極蛍光灯やアレー状に配列する発光ダイオードから構成することができる。
【００３３】
（実施例３）
図７は本発明の第三の実施の形態を示す図である。ここで、本発明は双対液晶表示パネル構造に適用される場合相当なメリットがあることを示した。本実施例３では、一枚の双方向発光の光ガイド板を両液晶表示パネルのバック光源及び下基板として使用する。
【００３４】
図７において、透明プラスチックを材料とする光ガイド板１０は平板状であって、上下に形成されるＶ形切断面により両端面にある光源１２−１、１２−２からの光線を上下両射出面にガイドするものである。また、光源１２−１、１２−２と光ガイド板との間に偏光板１４１、１４２がある。
【００３５】
本実施例３では、Ｖ形切断面は二つある。該二つのＶ形切断面を平坦化した後、実施例１のように光ガイド板１０の上下両射出面にてフィルムトランジスタ２２−１、２２−２を形成する。このため、光ガイド板１０は二つの液晶表示パネルの下基板となる。図７において光源は双対光源１２−１、１２−２とからなるが、単一の光源１２−１または１２−２のみから構成されても良い。当然、双対光源１２−１、１２−２を用いる場合、均一性がより良い面状光源が得られる。この後、既存の液晶表示パネルの製造プロセスにより残るその他のものを作り出す。
【００３６】
（実施例４）
図８は本発明の第四の実施の形態を示す図である。ここで、本発明は反射型液晶表示パネルに適用することも可能であることを示した。光源は前方光源となるため、反射型液晶表示パネルの上基板として直接光ガイド板を利用することができる。図８に示す実施例４では、下基板３１の上に順にフィルムトランジスタ２２と保護層２４及び反射フィルム３５を形成することにより、液晶表示パネルの下板が形成される。なお、下基板３１の材質はガラスやプラスチックまたはその他の非透明板であって良い。
【００３７】
それで、光ガイド板１０の射出面即ち液晶表示パネルの上基板に順に色フィルタ２８及び透明電極２７を形成することにより、液晶表示パネルの上板が形成される。
【００３８】
次に、上板の透明電極層と下板の反射フィルムを対向させるように密封し且つ真空状態にした上、液晶３２を上下板間に注入する。これにより、液晶表示パネルが形成される。光ガイド板１０の入射面に順に位相差板１８−１または１８−２と偏光板１４−１または１４−２があり、光ガイド板１０の端面に光源１２−１、１２−２がある。このように、位相差板１８−１、１８−２及び偏光板１４−１、１４−２を光ガイド板１０の入射面に貼着することにより貼着面積が大幅に減少され、且つ光線が経由する光源１２−１または１２−２から利用者までのパスにおける媒体が少なくなる。このような効果は実施例１と同様である。なお、本実施例４では、光源は単一光源１２−１または双対光源１２−１，１２−２でありうる。当然、双対光源１２−１，１２−２を用いる場合、均一性がより良い面状光源が得られる。
【００３９】
（実施例５）
図９は本発明の第五の実施の形態を示す図である。本実施例５の構造が図８の実施例４の構造と異なるところは、光ガイドは平板２０とその上に設けられるＶ形切断面付き紫外線硬化樹脂層１９からなることにある。なお、平板２０の材質はガラスまたはプラスチックでありうる。
【００４０】
（実施例６）
図１０は本発明の第六の実施の形態を示す図である。本実施例６では、二つの反射型表示パネルにより双対表示組合せを構成することは肝要である。ここで、二つの表示パネルは同一下基板３１を共有する。両反射型表示器の下板として、下基板３１の上下両面にそれぞれフィルムトランジスタ２２−１または２２−２と保護層２４−１または２４−２及び反射フィルム３５−１または３５−２を形成する。それで、両光ガイド板１０−１、１０−２の射出面即ち両液晶表示パネルの上基板に、順に色フィルタ２８−１、２８−２と透明電極２７−１、２７−２を形成することにより、両液晶表示パネルの上板が形成される。次に、両上板の透明電極２７−１、２７−２と下板の反射フィルム３５−１、３５−２がサンドイッチの形となるように密封し且つ真空状態にした上、液晶３２−１、３２−２を上下板間に注入する。これにより、双対液晶表示パネルが形成される。光ガイド板１０−１または１０−２の入射面に順に位相差板１８−１または１８−２と偏光板１４−１または１４−２があり、光ガイド板１０−１、１０−２の端面にそれぞれ光源１２−１、１２−２がある。
【００４１】
（実施例７）
図１１は本発明の第七の実施の形態を示す図である。本実施例７では、一つの透過型液晶表示器と一つの反射型表示器を用いて双対表示組合せを構成する。ここで、光ガイド板１０−１の入射面に偏向板１４−１が、光ガイド板１０−１の端面に光源１２−１がある。光ガイド板１０−１の射出面に順にフィルムトランジスタ２２−１と保護層２４−１及び透明電極２６−１を形成することにより、透過型液晶表示パネルの下板が形成される。それで、その他の透明板即ち液晶表示パネルの上基板３０−１に順に色フィルタ２８−１及び透明電極２７−１を形成することにより、透過型液晶表示パネルの上板が形成される。そして、上板の透明電極２６−１と下板の透明電極２７−１を対向させるように密封し且つ真空状態にした上、液晶３２−１を上下板間に注入する。これにより、液晶表示パネルが形成される。最後、上基板３０−１の上方に偏光板３４−１を取り付けることにより透過型液晶表示器の要部が形成される。
【００４２】
一方、光ガイド板１０−１の射出面の反対側にある面（光線が該面から射出しない）に順にフィルタトランジスタ２２−２と保護層２４−２及び反射フィルタ３５を形成することにより、反射型液晶表示パネルの下板が形成される。次に、光ガイド板１０−２の射出面即ち透過型液晶表示パネルの上基板に順に色フィルタ２８−２及び透明電極２７−２を形成することにより、液晶表示パネルの上板が形成される。そして、上板の透明電極２７−２と下板の反射フィルム３５を対向させるように密封し且つ真空状態にした上、液晶３２−２を上下板間に注入する。これにより、透過型液晶表示パネルが形成される。なお、光ガイド板１０−２の入射面に、順に位相差板１８−２と偏光板１４−２があり、光ガイド板１０−２の端面に光源１２−２がある。
【００４３】
（実施例８）
図１２は本発明の第八の実施の形態を示す図である。本実施例８は、図８または図１０の実施例４または６においてタッチパネル５０を組み合わせてなるものである。タッチパネルを前方光源の光ガイド板に組み合わせる場合、前方光源の表面に対し平坦化プロセスを施す必要がある。
【００４４】
図１２において、光ガイド板１０−１の表面に紫外線硬化樹脂１９を塗布して光ガイド板１０−１に対する平坦化プロセスを施す。そして、タッチパネル５０の下電極は直接紫外線硬化樹脂１９に形成される。これにより、従来のタッチパネルに必要な下ガラス基板は省略される。表示組合わせ全体は単一の反射型表示器または双対液晶表示パネルの双対表示組合わせに適用される。後者の場合、図１２に示すように、反射型液晶表示パネルまたは透過型液晶表示パネルは用いられる。
【００４５】
本発明は前記実施例の如く提示されているが、これは本発明を限定するものではなく、当業者は本発明の要旨と範囲内において変形と修正をすることができる。
【００４６】
【発明の効果】
軽量化及び小型化の平面表示器用または液晶表示パネル用面状光源構造を提供することができる。
【図面の簡単な説明】
【図１】従来の透過型液晶表示器の構造を示す図である。
【図２】従来のくさび形光ガイド板を有するバック光源構造を示す図である。
【図３】富士通株式会社による中空構造の面状光源構造を示す図である。
【図４】従来の反射型液晶表示器の構造を示す図である。
【図５】本発明の第一の実施の形態に係る光ガイド板を透過型液晶表示パネルの下基板として使用する構造を示す図である。
【図６】本発明の第二の実施の形態に係る光ガイド板を透過型液晶表示パネルの下基板として使用する構造を示す図である。
【図７】本発明の第三の実施の形態に係る光ガイド板を両透過型液晶表示パネルの下基板として使用する構造を示す図である。
【図８】本発明の第四の実施の形態に係る光ガイド板を反射型液晶表示パネルの上基板として使用する構造を示す図である。
【図９】本発明の第五の実施の形態に係る光ガイド板を反射型液晶表示パネルの上基板として使用する構造を示す図である。
【図１０】本発明の第六の実施の形態に係る両光ガイド板を両反射型液晶表示パネルの上基板として使用する構造を示す図である。
【図１１】本発明の第七の実施の形態に係る両光ガイド板をそれぞれ透過型液晶表示パネルの下基板と反射型液晶表示パネルの上基板として使用する構造を示す図である。
【図１２】本発明の第八の実施の形態に係る両光ガイド板を両反射型液晶表示パネルの上基板として使用すると共にタッチパネルを組み合わせる構造を示す図である。
【符号の説明】
１０、１０２  光ガイド板
１２、１０４、２０２  光源
１３  面状光源
１４、１５、３４、１０８、１２６  偏光板
１６、１０６、２０８  反射板
１８、１２７  位相差板
１９  紫外線硬化樹脂
２０  透明平板
２２，１１２  フィルムトランジスタ
２４、１１４  保護層
２６、２７、１１６、１２０  透明電極
２８、１２２  色フィルタ
３０、１２４  上基板
３１、１１０  下基板
３２、１１８  液晶
３５、１１５  反射フィルム
５０  タッチパネル
１００  液晶表示器
１０３  くさび形光ガイド板
２０４  レンズ
２０６  調節板
２１０  レンズ組合せ
【図１】
2004212517.tif 000003
【図２】
2004212517.tif 000004
【図３】
2004212517.tif 000005
【図４】
2004212517.tif 000006
【図５】
2004212517.tif 000007
【図６】
2004212517.tif 000008
【図７】
2004212517.tif 000009
【図８】
2004212517.tif 000010
【図９】
2004212517.tif 000011
【図１０】
2004212517.tif 000012
【図１１】
2004212517.tif 000013
【図１２】
2004212517.tif 000014